(57)【特許請求の範囲】
【請求項１】
筒両端部を共に開放させると共に、筒一端部側の断面積をその余の箇所の断面積よりも小さくさせてこの筒一端部がホイッスルの吹口を構成するようにし、かつ、筒両端部間に窓穴を備えた筒状主体と、
この筒状主体の筒他端部の閉塞体とを、
この閉塞体が前記筒他端部の側方に位置されるように弾性変形可能な連接片により連接一体化させてなり、
しかも、前記閉塞体は、基部の一方側に筒状主体の筒他端部内へのはめ込み部を形成させてなると共に、
前記筒状主体に、閉塞体のはめ込み部に形成された被掛合部に対し、このはめ込み部を筒状主体の筒他端部内にはめ込みきった閉塞位置において掛合する掛合部を形成させてなることを特徴とする樹脂製ホイッスル構成体。
【請求項２】
筒状主体の筒他端部は、開放口を挟んだ両側にそれぞれこの開放口から外方に張り出す壁部を形成させてなると共に、
この壁部間にある開放口の口縁部と閉塞体の基部とが連接片により連接されていることを特徴とする請求項１に記載の樹脂製ホイッスル構成体。
【請求項３】
請求項１又は請求項２に記載の樹脂製ホイッスル構成体より構成されるホイッスルと、
前記ホイッスルの収容部と、帯状体又は紐状体に対する取り付け部又は留め付け部を有すると共に、 前記ホイッスルを、前記収容部に収納させた回動前位置とその吹口をこの収容部から突き出させる回動後位置との間に亘る回動操作可能に支持してなる帯状体又は紐状体用アクセサリーとからなる、
ホイッスルを含んでなる帯状体又は紐状体用アクセサリー。
【発明の詳細な説明】
【技術分野】
【０００１】
この発明は、合成樹脂の成形品であって、成形後のアセンブリーによってホイッスルとなるホイッスル構成体、およびこれを含んで構成される帯状体又は紐状体用アクセサリーに関する。
【背景技術】
【０００２】
ホイッスルは、吹口の断面積をその余の箇所の断面積よりも小さくさせると共に、吹口とこれに対向する閉塞端との間に窓穴を備える。このため、ホイッスルを合成樹脂の成形品とする場合、ホイッスル全体を一体成形することは困難である。したがって、樹脂製のホイッスルは、一般的には、二以上のパーツをそれぞれ成形して、これらを組み合わせて構成する他なかった。（二以上のパーツからなるホイッスルとして、特許文献１参照）
【先行技術文献】
【特許文献】
【０００３】
【特許文献１】実用新案登録第３０１７３５７号公報
【発明の概要】
【発明が解決しようとする課題】
【０００４】
この発明が解決しようとする主たる問題点は、第一に、ホイッスルを合成樹脂の一体成形品に対する成形後の単純なアセンブリーよって適切に構成できるようにする点にあり、また、第二に、かかるホイッスルを含んでなる帯状体又は紐状体用アクセサリーを提供する点にある。
【課題を解決するための手段】
【０００５】
前記課題を達成するために、この発明にあっては、第一の観点から、樹脂製ホイッスル構成体を、筒両端部を共に開放させると共に、筒一端部側の断面積をその余の箇所の断面積よりも小さくさせてこの筒一端部がホイッスルの吹口を構成するようにし、かつ、筒両端部間に窓穴を備えた筒状主体と、
この筒状主体の筒他端部の閉塞体とを、
この閉塞体が前記筒他端部の側方に位置されるように弾性変形可能な連接片により連接一体化させてなるものとした。
【０００６】
前記連接片によって、筒状主体と閉塞体とを一体成形することが可能とされる。典型的には、筒状主体の筒他端部から抜き出される可動型によって、筒一端部側の断面積をその余の箇所の断面積よりも小さくさせるかかる筒状主体を適切に成形しながら、同時にこの筒状主体の筒他端部を閉塞してこの筒状主体をホイッスルとして機能させる閉塞体をこの筒状主体と一体に成形することができる。閉塞体は連接片により筒状主体の筒他端部の側方に位置されることから、閉塞体はこの連接片を弾性変形させながらこの連接片を中心として筒状主体の筒他端部に向き合い、さらに、この筒他端部を塞ぐ位置まで回動させることができ、これにより筒状本体と閉塞体とからホイッスルを構成させることができる。
【０００７】
前記閉塞体を、基部の一方側に筒状主体の筒他端部内へのはめ込み部を形成させてなるものとすることが、この発明の好ましい態様の一つである。この場合、さらに、筒状主体に、閉塞体のはめ込み部に形成された被掛合部に対し、このはめ込み部を筒状主体の筒他端部内にはめ込みきった閉塞位置において掛合する掛合部を形成させておけば、筒状主体の筒他端部を閉塞体によって閉塞した状態を安定的に維持することができる。
【０００８】
前記筒状主体の筒他端部を、開放口を挟んだ両側にそれぞれこの開放口から外方に張り出す壁部を形成させて構成し、この壁部間にある開放口の口縁部と閉塞体の基部とを前記連接片により連接させるようにしておけば、閉塞体の前記回動をかかる壁部により案内することができ、両者を容易且つ間違いなくアセンブリーすることができる。
【０００９】
前記課題を達成するために、この発明にあっては、第二の観点から、ホイッスルを含んでなる帯状体又は紐状体用アクセサリーを、前記樹脂製ホイッスル構成体より構成されるホイッスルの収容部と、帯状体又は紐状体に対する取り付け部又は留め付け部を有すると共に、前記ホイッスルを、前記収容部に収納させた回動前位置とその吹口をこの収容部から突き出させる回動後位置との間に亘る回動操作可能に支持してなるものとした。
【発明の効果】
【００１０】
この発明によれば、ホイッスルを合成樹脂の一体成形品に対する成形後の単純なアセンブリーよって適切に構成することができ、樹脂製ホイッスル及びこれを含んでなる帯状体又は紐状体用アクセサリーを、容易かつ低廉に提供することができる。
【図面の簡単な説明】
【００１１】
【図１】図１は実施の形態にかかるホイッスル構成体の斜視図である。
【図２】図２は前記ホイッスル構成体の斜視図であり、図１と異なる向きからかかるホイッスル構成体を見て示している。
【図３】図３は前記ホイッスル構成体の正面図である。
【図４】図４は前記ホイッスル構成体の背面図である。
【図５】図５は前記ホイッスル構成体の平面図である。
【図６】図４は前記ホイッスル構成体の底面図である。
【図７】図７は前記ホイッスル構成体の左側面図である。
【図８】図８は前記ホイッスル構成体の右側面図である。
【図９】図９は図３におけるＡ−Ａ線断面図である。
【図１０】図１０は前記ホイッスル構成体から構成されるホイッスルの斜視図である。
【図１１】図１１は前記ホイッスルの正面図である。
【図１２】図１２は図１１におけるＢ−Ｂ線断面図である。
【図１３】図１３は前記ホイッスルを含んで構成されるバックルの平面図である。
【図１４】図１４は図１３のバックルの底面図である。
【図１５】図１５は図１３のバックルの左側面図である。
【図１６】図１６は図１３のバックルを構成する雄部材の斜視図である。
【図１７】図１７は図１３のバックルを構成する雌部材の斜視図である。
【図１８】図１８は図１３のバックルを構成する雌部材の斜視図であり、図１７と異なる向きからかかるバックルを見て示している。
【図１９】図１９は前記ホイッスルを含んで構成される他のバックルの斜視図である。
【図２０】図２０は前記ホイッスルを含んで構成されるコードロックの斜視図である。
【図２１】図２１は前記ホイッスルを含んで構成される紐状体の端末カバーの斜視図である。
【図２２】図２２は前記ホイッスルを含んで構成されるナス環の斜視図である。
【発明を実施するための形態】
【００１２】
以下、図１〜図２２に基づいて、この発明の典型的な実施の形態について、説明する。この実施の形態にかかる樹脂製ホイッスル構成体Ｗ’は、これを構成する筒状主体Ｐとこれに組み合わされる閉塞体Ｃとを一体に備えた合成樹脂の成形品であって、かかる組み合わせをなすことでホイッスルＷとなるものである。
【００１３】
また、この実施の形態にかかる帯状体又は紐状体用アクセサリーＭは、ベルトやバンドなどを構成する帯状体、または、絞り紐や引き締め紐、引き手などを構成する紐状体に備えられて利用されるものであって、前記ホイッスルＷを回動可能に備えて構成されるものである。
【００１４】
この実施の形態にかかるホイッスル構成体Ｗ’は、筒状主体Ｐと、閉塞体Ｃと、両者を一体化させる連接片Ｒとを備えている。
【００１５】
筒状主体Ｐは、筒両端部１、２を共に開放させると共に、筒一端部１側の断面積をその余の箇所の断面積よりも小さくさせてこの筒一端部１がホイッスルＷの吹口Ｗａを構成するようにし、かつ、筒両端部１、２間に窓穴３を備えている。
【００１６】
図示の例では、かかる筒状主体Ｐは、その筒軸に直交する向きの断面の内外郭形状を、その筒軸方向の各位置においていずれも略方形状とする角筒状を呈している。かかる筒状主体Ｐの筒一端部１は、その余の箇所より細くなっており、これによりかかる筒一端部１側の断面積はその余の箇所の断面積よりも小さくなっている。この筒状主体Ｐの細くなった箇所とその余の箇所との間には、かかる筒状主体Ｐの筒軸に沿った四つの側面４…４のうちの一つの側面４において段差５が形成されていると共に、この一つの側面４に隣り合う側面４はこの細くなった箇所において幅狭となっている。筒状主体Ｐにおける前記段差５の形成された側面４に対向する側面４には、筒状主体Ｐのその余の箇所においてこの筒状主体Ｐの内外を連通させる前記窓穴３が形成されている。そして、図示の例では、かかる筒状主体Ｐの筒他端部２を後述の閉塞体Ｃによって閉塞させた状態においてこの筒状主体Ｐの筒一端部１を口にくわえて筒状主体Ｐ内に呼気を吹き込むと前記細くなった箇所を通って前記窓穴３から吹き出されるかかる呼気によって音が生じるようになっている。これにより、図示の例では、前記筒一端部１が前記吹口Ｗａとして機能するようになっている。
【００１７】
閉塞体Ｃは、開放されている前記筒状主体Ｐの筒他端部２を閉塞し得る構成となっている。
【００１８】
この実施の形態にあっては、かかる閉塞体Ｃは、基部１１の一方側に筒状主体Ｐの筒他端部２内へのはめ込み部１２を形成させてなる。図示の例では、かかる閉塞体Ｃは、前記筒状主体Ｐの筒他端部２の内郭形状と略等しい外郭形状を備えた短寸の角筒状体の筒一端を閉塞させてなる。かかる角筒状体の閉塞箇所が前記基部１１となり、その余の箇所が前記はめ込み部１２として機能するようになっている。
【００１９】
連接片Ｒは、前記閉塞体Ｃが前記筒他端部２の側方に位置されるように、かかる閉塞体Ｃと前記筒状主体Ｐとを連接し、かつ、一体化させていると共に、弾性変形可能に構成されている。
【００２０】
この実施の形態にあっては、前記筒状主体Ｐの筒他端部２は開放口６を挟んだ両側にそれぞれこの開放口６から外方に張り出す壁部７を形成させてなり、この壁部７間にある開放口６の口縁部６ａと閉塞体Ｃの基部１１とが連接片Ｒにより連接されている。図示の例では、方形状をなす開放口６における前記連接片Ｒの連接されている口縁部６ａ以外の三箇所にはそれぞれ、前記壁部７が形成されている。かかる連接片Ｒの連接されている口縁部６ａを挟んだ一方の壁部７ａは、他方の壁部７よりも前記張り出し寸法を大きくしている。そして、かかる連接片Ｒは、前記開放口６の口縁部６ａに片一端を、方形状をなす前記基部１１の一辺部１１ａに片他端を、それぞれ一体化させて両者間に架設されている。図示の例では、かかる連接片Ｒによって前記筒状主体Ｐと閉塞体Ｃとを、前記開放口６の口縁部６ａと前記基部１１の一辺部１１ａとを筒状主体Ｐの筒軸方向において略同じ位置に位置させると共に、この口縁部６ａと基部１１の一辺部との間に連接片Ｒの長さ分の隙間を形成させ且つこの口縁部６ａと基部１１の一辺部１１ａとを略平行に配させるように、一体に連接させている。また、かかる連接片Ｒの前記片一端と片他端との間の距離は、前記他方の壁部７の前記開放口６からの張り出し寸法と略等しくなっていると共に、連接片Ｒはこの片一端と片他端との間において筒状主体Ｐの筒一端部１側を湾曲内側とするように湾曲されている。
【００２１】
かかる連接片Ｒによって、筒状主体Ｐと閉塞体Ｃとを一体成形することが可能とされる。典型的には、筒状主体Ｐの筒他端部２から抜き出される可動型によって、筒一端部１側の断面積をその余の箇所の断面積よりも小さくさせるかかる筒状主体Ｐを適切に成形しながら、同時にこの筒状主体Ｐの筒他端部２を閉塞してこの筒状主体ＰをホイッスルＷとして機能させる閉塞体Ｃをこの筒状主体Ｐと一体に成形することができる。閉塞体Ｃは連接片Ｒにより筒状主体Ｐの筒他端部２の側方に位置されることから、閉塞体Ｃはこの連接片Ｒを弾性変形させながらこの連接片Ｒを中心として筒状主体Ｐの筒他端部２に向き合い、さらに、この筒他端部２を塞ぐ位置まで回動させることができ、これにより筒状本体と閉塞体ＣとからホイッスルＷを構成させることができる。
【００２２】
図示の例では、前記回動前位置においては、閉塞体Ｃのはめ込み部１２は筒状主体Ｐの筒一端部１と反対の側を向いている。（図１〜９）この状態から、閉塞体Ｃはそのはめ込み部１２を前記開放口６より筒状主体Ｐ内に入り込ませ、且つ、この開放口６を基部１１で塞ぐ閉塞位置まで、前記連接片Ｒの前記湾曲を解きながら回動できるようになっている。（図１０〜１２）この閉塞体Ｃの回動は、前記筒状主体Ｐの筒他端部２の開放口６を挟んだ両側に形成された壁部７、７により案内される。また、図示の例では、前記閉塞位置に閉塞体Ｃが至ったときには、連接片Ｒは前記湾曲内側の面を筒状主体Ｐの前記側面４と略同面上に位置させて、前記各壁部７…７と一緒になって前記開放口６を取り巻くようになっている。（図１０〜１２）
【００２３】
また、この実施の形態にあっては、前記筒状主体Ｐに、前記閉塞体Ｃのはめ込み部１２に形成された被掛合部１３に対し、このはめ込み部１２を筒状主体Ｐの筒他端部２内にはめ込みきった閉塞位置において掛合する掛合部８が形成されている。これにより、この実施の形態にあっては、筒状主体Ｐの筒他端部２を閉塞体Ｃによって閉塞した状態を安定的に維持できるようになっている。図示の例では、閉塞体Ｃのはめ込み部１２における前記回動時に筒状主体Ｐの壁部７に案内される箇所に前記被掛合部１３としての突起１３ａが形成されていると共に、筒状主体Ｐのかかる壁部７に前記閉塞位置においてこの突起１３ａが入り込む前記掛合部８としての小孔８ａが形成されている。図示の例では、筒状主体Ｐの壁部７の内面には、この壁部７の張り出し端とこの小孔８ａとの間においてこの壁部７の肉厚を減じさせる導入溝９が形成されており、閉塞体Ｃは前記回動の途中で前記突起１３ａをこの導入溝９に入り込ませるようになっている。一対の壁部７、７の導入溝９間の距離は、閉塞体Ｃの二カ所の突起１３ａ間の距離よりもやや小さく、閉塞体Ｃの前記閉塞位置に向けた回動は前記一対の壁部７、７間の距離をやや広げる向きの筒状主体Ｐ側の弾性変形により主として許容されるようになっている。閉塞体Ｃが閉塞位置まで回動されると小孔８ａ内に突起１３ａが入り込んで筒状主体Ｐ側が弾性復帰され両者は掛合される。
【００２４】
また、この実施の形態にあっては、ホイッスル構成体Ｗ’は、筒状主体Ｐにおける筒他端部２側であって、前記窓穴３の形成された側面４と前記段差５の形成された側面４との間に位置される左右の側面４、４にそれぞれ、この側面４から外方に突き出す軸突部１０を有している。そして、前記のように構成されるホイッスルＷは、この軸突部１０を利用して前記帯状体又は紐状体用アクセサリーＭに回動可能に備えられるようになっている。
【００２５】
この実施の形態にあっては、かかるアクセサリーＭは、前記ホイッスルＷの収容部１４と、帯状体又は紐状体に対する取り付け部１５又は留め付け部１６を有する。それとと共に、前記ホイッスルＷを、前記収容部１４に収納させた回動前位置とその吹口Ｗａをこの収容部１４から突き出させる回動後位置との間に亘る回動操作可能に支持してなる。
【００２６】
図１３〜図１８は、雄部材１７と雌部材１８とからなるバックルＭａに、前記ホイッスルＷを備えさせた例を示している。雄部材１７は、帯状体の通される前記取り付け部１５と、雌部材１８内へのはめ込み脚部１７ａとを備えている。雌部材１８は、雄部材１７のはめ込み脚部１７ａが差し込まれる扁平筒状部１８ａと、前記ホイッスルＷの収容部１４と、帯状体の通される前記取り付け部１５とを備えている。扁平筒状部１８ａに対する雄部材１７のはめ込み脚部１７ａの差し込み方向に、収容部１４に収容されるホイッスルＷの筒状主体Ｐの筒軸方向が沿うようにして、扁平筒状部１８ａの隣に収容部１４が形成されている。雌部材１８の収容部１４は、ホイッスルＷの筒状主体Ｐの太さ分の溝幅を有すると共に、扁平筒状部１８ａにおける雄部材１７のはめ込み脚部１７ａの受け入れ開口１８ｃ側において溝端１８ｄを開放させた溝状を呈している。この収容部１４を構成する両溝壁には、前記開放された溝端１８ｄ側において、前記軸突部１０を回動可能に治める軸穴１８ｅが形成されている。図示の例では、この収容部１４の開放された溝端１８ｄと軸穴１８ｅとの間には案内溝１８ｆが形成されており、ホイッスルＷを吹口Ｗａを先にして前記開放された溝端１８ｄから収容部１４に導入させるとこの案内溝１８ｆに軸突部１０が案内されて前記吹口Ｗａが収容部１４の閉塞された溝端に突き当たる位置において前記軸穴１８ｅに入り込むようになっている。図示の例では、この収容部１４へのホイッスルＷの導入はこの収容部１４の溝幅を広げる向きの雌部材１８側の弾性変形により許容され、前記軸突部１０が軸穴１８ｅに入り込んだ状態はこの弾性変形後の雌部材１８側の弾性復帰により維持されるようになっている。また、図示の例では、収容部１４の溝底は、開放された溝端１８ｄからこの収容部１４の長さ方向略中程の位置までの間において切除された様になっており、収容部１４のこの範囲は雌部材１８の両面においてそれぞれ開放されている。収容部１４の溝壁の一方は、雌部材１８の扁平筒状部１８ａにおける厚さ側の側面の一方によって形成されている。雄部材１７のはめ込み脚部１７ａは雌部材１８の扁平筒状部１８ａへの差し込みを弾性変形により許容させる弾性掛合片１７ｂを備えている。雌部材１８の扁平筒状部１８ａにおける厚さ側の側面の他方には、この雌部材１８内に雄部材１７のはめ込み脚部１７ａを差し込みきった位置で、かかる弾性掛合片１７ｂが弾性復帰して入り込む掛合窓１８ｂが形成されている。図示の例では、雌部材１８はこの掛合窓１８ｂの外方に自由端を位置させる解除用弾性掛合片１８ｇを有しており、前記掛合窓１８ｂに弾性掛合片１７ｂを入り込ませた雄部材１７と雌部材１８との掛合状態は、バックルＭａの外側から操作してこの解除用弾性掛合片１８ｇの自由端を掛合窓１８ｂに入り込んでいる弾性掛合片１７ｂに押し当てさせるようにこの解除用弾性掛合片１８ｇを弾性変形させることで解くことができるようになっている。ホイッスルＷは、回動前位置においては、前記筒状主体Ｐの開放口６からの張り出し寸法を大きくする壁部７ａを備えた側面を扁平筒状部１８ａの一面と同面上に位置させるようにした状態で収容部１４に納められるようになっている。図示の例では、雄部材１７と雌部材１８とを掛合させた状態では、前記張り出し寸法を大きくする壁部７下に雌部材１８に掛合された雄部材１７の取り付け部１５が位置されて、ホイッスルＷは回動操作できないようになっている。雄部材１７と雌部材１８との掛合を解除させた状態から前記張り出し寸法を大きくする壁部７ａを押し込む操作をすると、ホイッスルＷは筒状主体Ｐの筒他端部２側を雌部材１８の他面側から突き出させると共にその吹口Ｗａ側を雌部材１８の一面側から突き出させるように前記回動後位置に向けて回動されその利用が可能となる。
【００２７】
図１９は、枠状部１９と、この枠状部１９の対向辺部間に架設されるクロスバー２０とにより、枠状部１９内に三カ所の帯状体の通し部２１…２１を形成させてなるバックルＭｂに、前記ホイッスルＷを備えさせた例を示している。この例では、この三カ所の通し部２１…２１が帯状体に対する留め付け部１６として機能するようになっている。またこの例では、枠状部１９の一辺部の外側に、前記クロスバー２０と平行をなす支持バー２２と、この支持バー２２の一端と枠状部１９とを連接させる連接部２３とが設けられており、この枠状部１９の一辺部と支持バー２２と連接部２３との間にホイッスルＷの収容部１４が形成されている。支持バー２２の他端とこれに向き合う枠状部１９の一辺部にホイッスルＷの軸突部１０に対する軸穴２４が形成されており、この軸穴２４に軸突部１０を収めることでホイッスルＷは吹口Ｗａを連接部に向けた状態で収容部１４に収納されるようになっている。
【００２８】
図２０は、筒状をなすと共に筒一端２５ａを開放させた雌部材２５と、この雌部材２５の筒軸に沿って移動可能に前記雌部材２５の筒一端２５ａから一部を雌部材２５内に収め入れた雄部材２６と、この雄部材２６を雌部材２５内から押し出させる向きに付勢する図示しない付勢手段とを備えると共に、雌部材２５の側部と雄部材２６の一部とにこの付勢に抗した雄部材２６の所定の押し込み位置で整合し合う紐状体の通し穴２５ｂ、２６ａを形成させてなるコードロックＭｃに、前記ホイッスルＷを備えさせた例を示している。この例では、かかる通し穴２５ｂ、２６ａが紐状体に対する留め付け部１６として機能するようになっている。またこの例では、雌部材２５はその筒他端側に一対の脚部２７、２７を備えており、雌部材２５の筒他端と一対の脚部２７、２７との間にホイッスルＷの収容部１４が形成されている。一対の脚部２７、２７の先端にはそれぞれホイッスルＷの軸突部１０に対する軸穴２８が形成されており、この軸穴２８に軸突部１０を収めることでホイッスルＷは吹口Ｗａを雌部材２５の筒他端に向けた状態で収容部１４に収納されるようになっている。
【００２９】
図２１は、筒状をなすと共に筒一端２９から内部に紐状体３１の端末を受け入れてこの端末に装着されるこの紐状体３１の端末カバーＭｄに、前記ホイッスルＷを備えさせた例を示している。この例では、かかる端末カバーＭｄの筒一端２９から通されて筒他端３０から引き出された紐状体３１の端末にこの筒他端３０の開口よりも大きい図示しない結び目を形成させることで、この端末に端末カバーＭｄが取り付けられるようになっている。すなわち、この例では、端末カバーＭｄの筒他端３０が紐状体３１に対する取り付け部１５として機能するようになっている。またこの例では、端末カバーＭｄはその筒他端３０側に一対の脚部３２、３２を備えており、端末カバーＭｄの筒他端３０と一対の脚部３２、３２との間にホイッスルＷの収容部１４が形成されている。一対の脚部３２、３２の先端にはそれぞれホイッスルＷの軸突部１０に対する軸穴３３が形成されており、この軸穴３３に軸突部１０を収めることでホイッスルＷは吹口Ｗａを端末カバーの筒他端に向けた状態で収容部１４に収納されるようになっている。
【００３０】
図２２は、帯状体の通し部３４を備えたナス環Ｍｅに、前記ホイッスルＷを備えさせた例を示している。この例では、かかる通し部３４が帯状体に対する取り付け部１５として機能するようになっている。またこの例では、ナス環Ｍｅを構成するフック部３５に溝状をなすホイッスルＷの収容部１４が形成されている。かかる収容部１４におけるフック端３６側に位置される溝端にホイッスルＷの軸突部１０に対する軸穴３７が形成されており、この軸穴３７に軸突部１０を収めることでホイッスルＷは吹口Ｗａを通し部側に向けた状態で収容部１４に収納されるようになっている。
【符号の説明】
【００３１】
Ｗ  ホイッスル
Ｗａ  吹口
Ｐ  筒状主体
Ｃ  閉塞体
Ｒ  連接片
１  筒一端部
２  筒他端部
３  窓穴
【図１】
0005940852.tif 000002
【図２】
0005940852.tif 000003
【図３】
0005940852.tif 000004
【図４】
0005940852.tif 000005
【図５】
0005940852.tif 000006
【図６】
0005940852.tif 000007
【図７】
0005940852.tif 000008
【図８】
0005940852.tif 000009
【図９】
0005940852.tif 000010
【図１０】
0005940852.tif 000011
【図１１】
0005940852.tif 000012
【図１２】
0005940852.tif 000013
【図１３】
0005940852.tif 000014
【図１４】
0005940852.tif 000015
【図１５】
0005940852.tif 000016
【図１６】
0005940852.tif 000017
【図１７】
0005940852.tif 000018
【図１８】
0005940852.tif 000019
【図１９】
0005940852.tif 000020
【図２０】
0005940852.tif 000021
【図２１】
0005940852.tif 000022
【図２２】
0005940852.tif 000023